(57)【要約】【課題】日記や業務スケジュールを記入するページとリンクする特定の用途のページを含み、自由にページを増減でき、各ページを他の用途に流用できるようにする。【解決手段】主題を記入するための主題枠２２と、注釈を記入するための補助枠２８と、複数のマスを配列した項目枠３２とが印刷され、項目枠３２がそれぞれ時系列にスケジュールを記入するための枠とされたスケジュール管理用ページ１４と、スケジュール管理用ページ１４の項目枠３２に記入されたテーマを記入する主題枠２２（テーマ表示２４付き）と、テーマに関係するキーワードを記入するための項目枠３２を印刷したテーマ展開用ページ１６と、連絡対象者を特定する事項を記入する主題枠２２（連絡対象者表示２６付き）と、連絡事項を列挙して記入するための項目枠を印刷した連絡用ページとが、綴じ込まれたシステム手帳１０。項目枠のレイアウトは全て共通。【選択図】図１
0003161278.tif 000002
【実用新案登録請求の範囲】
【請求項１】
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、
前記スケジュール管理用ページの項目枠に記入されたテーマを記入する主題枠と、前記スケジュール管理用ページと同一にレイアウトされ前記テーマに関係するキーワードを記入するための項目枠を印刷したテーマ展開用ページとが、
それぞれ１枚以上前記バインダに綴じ込まれたことを特徴とするシステム手帳。
【請求項２】
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、
前記スケジュール管理用ページの項目枠に記入された連絡対象者を特定する事項を記入する主題枠と、前記スケジュール管理用ページと同一にレイアウトされ前記連絡対象者に対する連絡事項を列挙して記入するための項目枠を印刷した連絡用ページとが、
それぞれ１枚以上前記バインダに綴じ込まれたことを特徴とするシステム手帳。
【請求項３】
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、
前記スケジュール管理用ページの項目枠に記入されたテーマを記入する主題枠と、前記スケジュール管理用ページと同一にレイアウトされ前記テーマに関係するキーワードを記入するための項目枠を印刷したテーマ展開用ページと、
前記スケジュール管理用ページの項目枠に記入された連絡対象者を特定する事項を記入する主題枠と、前記スケジュール管理用ページと同一にレイアウトされ前記連絡対象者に対する連絡事項を列挙して記入するための項目枠を印刷した連絡用ページとが、
それぞれ１枚以上前記バインダに綴じ込まれたことを特徴とするシステム手帳。
【請求項４】
請求項１乃至３のいずれかに記載のシステム手帳において、
いずれのページにも、それぞれ共通にレイアウトされた作成日付を記入するための日付記入枠と、同一作成日付のもののページ数を記入するページ記入枠と、前記主題枠と前記補助枠と、前記項目枠とが、全て同一レイアウトで印刷されたことを特徴とするシステム手帳。
【請求項５】
請求項４に記載のシステム手帳において、
全てのページが、一辺が１０センチメートル以下５センチメートル以上で他の一辺が２０センチメートル以下１０センチメートル以上の長方形の手帳サイズに選定されていることを特徴とするシステム手帳。
【請求項６】
スケジュール管理用ページと、テーマ展開用ページと、連絡用ページと、用途を特定しない、前記主題枠と前記補助枠と前記項目枠とが同一レイアウトで印刷された共通フォームページとを混在させたことを特徴とするシステム手帳。
【考案の詳細な説明】
【技術分野】
【０００１】
本考案は日記や業務管理のために使用されるシステム手帳に関する。
【背景技術】
【０００２】
日記を付けたり、業務管理のためのスケジュールを記録するために、ページデザインやレイアウトを工夫した様々なシステム手帳が知られている（特許文献１）（特許文献２）。
【先行技術文献】
【特許文献】
【０００３】
【特許文献１】特開２０１０−６０５９号公報
【特許文献２】実開平５−８５６７１号公報
【考案の概要】
【考案が解決しようとする課題】
【０００４】
既知の従来の技術には、次のような解決すべき課題があった。
日付が印刷された手帳は、該当する日付の欄に必要事項を記入しなければならない。従って、多数の項目が記入されたページや白紙のページが混在することになり、全体として厚みがある割に使い勝手が良くないという問題がある。一方、特許文献２にあるように、用途別に各種事項が印刷されたページをバインダに綴じたものは、必要なものだけバインダに綴じればよいので、無駄な白紙ページは除外できるが、用途が特定されたページは他の用途に使えないので、多くのページが無駄になることもある。
【０００５】
上記の課題を解決するために、本考案は、日記や業務スケジュールを記入するページとリンクする特定の用途のページを含み、自由にページを増減でき、しかも、各ページを他の用途に流用することが容易なシステム手帳を提供することを目的とする。
【課題を解決するための手段】
【０００６】
以下の構成はそれぞれ上記の課題を解決するための手段である。
〈構成１〉
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、前記スケジュール管理用ページの項目枠に記入されたテーマを記入する主題枠と、前記スケジュール管理用ページと同一にレイアウトされ前記テーマに関係するキーワードを記入するための項目枠を印刷したテーマ展開用ページとが、それぞれ１枚以上前記バインダに綴じ込まれたことを特徴とするシステム手帳。
【０００７】
〈構成２〉
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、前記スケジュール管理用ページの項目枠に記入された連絡対象者を特定する事項を記入する主題枠と、前記スケジュール管理用ページと同一にレイアウトされ前記連絡対象者に対する連絡事項を列挙して記入するための項目枠を印刷した連絡用ページとが、それぞれ１枚以上前記バインダに綴じ込まれたことを特徴とするシステム手帳。
【０００８】
〈構成３〉
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、前記スケジュール管理用ページの項目枠に記入されたテーマを記入する主題枠と、前記スケジュール管理用ページと同一にレイアウトされ前記テーマに関係するキーワードを記入するための項目枠を印刷したテーマ展開用ページと、前記スケジュール管理用ページの項目枠に記入された連絡対象者を特定する事項を記入する主題枠と、前記スケジュール管理用ページと同一にレイアウトされ前記連絡対象者に対する連絡事項を列挙して記入するための項目枠を印刷した連絡用ページとが、それぞれ１枚以上前記バインダに綴じ込まれたことを特徴とするシステム手帳。
【０００９】
〈構成４〉
構成１乃至３のいずれかに記載のシステム手帳において、いずれのページにも、それぞれ共通にレイアウトされた作成日付を記入するための日付記入枠と、同一作成日付のもののページ数を記入するページ記入枠と、前記主題枠と前記補助枠と、前記項目枠とが、全て同一レイアウトで印刷されたことを特徴とするシステム手帳。
【００１０】
〈構成５〉
構成４に記載のシステム手帳において、全てのページが、一辺が１０センチメートル以下５センチメートル以上で他の一辺が２０センチメートル以下１０センチメートル以上の長方形の手帳サイズに選定されていることを特徴とするシステム手帳。
【００１１】
〈構成６〉
スケジュール管理用ページと、テーマ展開用ページと、連絡用ページと、用途を特定しない、前記主題枠と前記補助枠と前記項目枠とが同一レイアウトで印刷された共通フォームページとを混在させたことを特徴とするシステム手帳。
【考案の効果】
【００１２】
〈構成１の効果〉
スケジュール管理用ページとテーマ展開用ページをバインダに綴じており、各ページを制約無しに自由に組み合わせて使用できる。また、これらのページはいずれも同一にレイアウトされた主題枠と補助枠と項目枠とが印刷されており、各ページを別の用途に簡単に流用することができる。テーマ展開用ページを利用すれば、スケジュール管理用ページに記入した任意のテーマについて、それを掘り下げた項目を見やすく書き込める。
〈構成２の効果〉
連絡用ページを利用すれば、スケジュール管理用ページに記入した連絡対象者への連絡事項を具体的に整理して見やすく書き込める。
〈構成３の効果〉
３種類のページを活用すれば、業務管理等に広く多機能に使用できる。
〈構成４の効果〉
同一作成日付のページ数を記入できるので、同一日付で何枚でもリンクさせたページを増やすことができる。
〈構成５の効果〉
汎用のシステム手帳サイズになり携帯にも便利になる。
〈構成６の効果〉
共通フォームページは、自由に用途を特定して使用することができるので、全体として無駄の生じないシステム手帳が提供できる。
【図面の簡単な説明】
【００１３】
【図１】実施例１のシステム手帳を示す各ページの説明図である。
【図２】本考案のシステム手帳の具体的な使用法を示す説明図である。
【図３】本考案のシステム手帳のさらに具体的な実施例を示す説明図である。
【考案を実施するための形態】
【００１４】
システム手帳のバインダに綴じる各種のページに、固有の用途を特定した固有のレイアウトの印刷をすると、各ページはその用途以外に使えない。本考案では、それぞれ用途の違うページであっても、枠のレイアウトは同一にしている。各ページに設けられた主題枠と補助枠と項目枠の使い方だけが異なるようにする。各ページの用途を指定するために、主題枠に、用途表示、テーマ表示、連絡対象者表示等や適切な使用方法等が注釈的に印刷されているとよい。
【００１５】
本考案のシステム手帳は、通常は日記や業務管理のためのスケジュール記録用として使用できる。スケジュール管理用ページを使用する。スケジュールに特定のテーマが含まれる場合には、テーマ展開用ページを使用する。その主題枠にテーマを記入し、項目枠にそのテーマに関係するキーワードを記入する。スケジュールに特定の連絡対象者が含まれている場合には、連絡用ページを使用する。その主題枠に連絡対象者名を記入し、項目枠に連絡事項を記入する
【００１６】
特定のテーマを整理して展開したいときや、特定の対象者に連絡事項を伝達したいとき等に、それぞれ必要項目を１枚のページに整理して分かりやすくまとめることができる。いずれのページも統一された同一形式の枠が設けられており、迷わずに使用できる。また。用途が違う用紙に記入してしまっても、統一された形式だから、主題枠等の部分を訂正してしまえばそれでよい。各ページの用途表示を薄いインクで印刷したりすれば、別の用途に訂正が容易で無駄が無い。以下、本考案の実施の形態を実施例毎に詳細に説明する。
【実施例１】
【００１７】
図１は実施例１のシステム手帳１０を示す各ページの説明図である。
図の一番下に斜視図を示したシステム手帳１０は、自由に多数のページを綴じたり外したりすることができる、既知の構造のバインダ１２を備えている。この実施例のシステム手帳１０には、それぞれ綴じ孔２０を有する、スケジュール管理用ページ１４と、テーマ展開用ページ１６と、連絡用ページ１８とが綴じ込まれている。
【００１８】
一番左側に示したスケジュール管理用ページ１４は、その一点鎖線の楕円で囲んだ上部に、主題枠２２と、補助枠２８と、注釈枠３０と項目枠３２と日付記入枠３４とページ記入枠３６とを備えている。各枠はそれぞれ一定の色で用紙上に印刷されている。主題枠２２は、主題を記入するための枠である。補助枠２８は、主題に関連する事項を記入するための枠である。スケジュール管理用ページ１４は、ページ全体を予定の記入に使用する。従って、例えば、主題枠２２には、「予定」といった用途表示２３を予め印刷しておくとよい。
【００１９】
日付記入枠３４は、作成日付を記入するための枠である。ページ記入枠３６は、同一作成日付のもののページ数を記入する枠である。同一作成日付で２枚以上のスケジュール管理用ページ１４を使用したり、スケジュール管理用ページ１４とテーマ展開用ページ１６と連絡用ページ１８とを組み合わせて使用するとき、ページ数を記入しておくと、リンクしているページ全体を認識しやすい。注釈枠３０は、項目枠３２に記入する事項の注釈等を記入するためのものである。
【００２０】
スケジュール管理用ページ１４の一点鎖線の楕円より下側の部分には、いずれも等しい寸法の複数のマスを２列に配列した項目枠３２が印刷されている。各項目枠３２は、ページを左右に２分して２列に配列されている。これらの項目枠３２には、それぞれ時系列にスケジュールを記入するように構成されている。なお、このページは縦長であるが、横長のページならば、各項目枠３２は、ページを上下に２分して２列に配列するとよい。
【００２１】
スケジュール管理用ページ１４とテーマ展開用ページ１６と連絡用ページ１８とは、日付記入枠３４とページ記入枠３６と主題枠２２と補助枠２８と項目枠３２とが、全て同一レイアウトで印刷されている。相違する部分は、図に示すように、主題枠２２の部分に印刷された用途表示や、注釈枠３０の部分に印刷された注釈等である。いずれも、用途変更が容易なように、小さい文字や薄い色で印刷することが好ましい。
【００２２】
テーマ展開用ページ１６は、スケジュール管理用ページ１４の項目枠３２に記入されたテーマを記入する主題枠２２が印刷されている。主題枠２２には、例えば、テーマ表示２４が印刷されるとよい。さらに、スケジュール管理用ページ１４と同一にレイアウトされテーマに関係するキーワードを記入するための項目枠３２が印刷されている。例えば、「報告書作成」というテーマの場合、補助枠２８には、役員会報告用とか、顧客報告用といった用途やテーマの内容を絞り込む条件のような言葉が記入される。注釈枠３０には、キーワードといった文字が印刷されるとよい。
【００２３】
連絡用ページ１８は、スケジュール管理用ページ１４の項目枠３２に記入された連絡対象者を特定する事項を記入する主題枠２２が印刷されている。主題枠２２には、例えば、連絡対象者表示２６が印刷されるとよい。さらに、スケジュール管理用ページ１４と同一にレイアウトされ連絡対象者に対する連絡事項を列挙して記入するための項目枠３２が印刷されている。例えば、主題枠２２には、「様」と印刷されており、対象者名を記入する。注釈枠３０には、連絡事項といった文字が印刷されるとよい。
【００２４】
上記のシステム手帳は、全てのページが、一辺が１０センチメートル以下５センチメートル以上で他の一辺が２０センチメートル以下１０センチメートル以上の長方形の手帳サイズに選定されている。これは、広く一般に多用されているシステム手帳と共用できる標準規格に該当するので、携帯用として使い易く汎用性も高い。また、この規格で２列８個の主題枠２２を設けると、汎用の貼り付け用メモ用紙を各主題枠２２に一枚ずつ貼り付けられる。これにより、項目の修正や追加等、システム手帳を三次元的に使用できる。
【００２５】
また、このシステム手帳には、スケジュール管理用ページ１４と、テーマ展開用ページ１６と、連絡用ページ１８と、用途を特定しない、主題枠２２と補助枠２８と項目枠３２とが同一レイアウトで印刷された共通フォームページとを混在させることが好ましい。共通フォームページは、主題枠２２や注釈枠３０に用途を特定する表示を利用者が自由に書き込めばよく、全体として無駄の生じないシステム手帳１０が提供できる。
【００２６】
図２は、本考案のシステム手帳の具体的な使用法を示す説明図である。
図のように、利用者は、スケジュール管理用ページ１４を使用して業務のスケジュール等を記入する。この記入項目の中に、例えば、報告書作成とあった場合、同じページにその内容を展開すると文字が小さくて見難くなり、実際にこの記入内容を見ながらコンピュータにデータ入力をする場合に、読みにくくて大変な作業になる。これに対して、そのテーマについて、テーマ展開用ページ１６で詳細に項目を展開することができれば、非常に見やすくなる。また、テーマ展開用ページ１６だけを切り離してデータエントリ担当者に渡すこともできる。また、スケジュール管理用ページ１４の記入項目の中に、連絡対象者がいる場合には、連絡用ページ１８に具体的な連絡事項を記入するとよい。この場合にも、この連絡用ページ１８のみを切り離して連絡対象者に渡すことができて便利である。
【実施例２】
【００２７】
図３は、本考案のシステム手帳のさらに具体的な実施例を示す説明図である。
例えば、この図の実施例では、日付記入枠３４に記入日が記入され、ページ記入枠３６には、その第一頁である旨の１／４という記入がされている。同一作成日付のページ数を記入できるので、同一日付で何枚でもリンクさせたページを増やすことができる。主題枠２２には、一日の予定を記入するスケジュール管理用ページ１４である旨の印刷がある。「テーマ（目標）」と印刷された部分は棒線で消してある。補助枠２８には、会社業務のためのスケジュールを記入する旨が記入されている。なお、図中、利用者が手で記入した事項を太字で、はじめから印刷されている事項を細字で示した。
【００２８】
注釈枠３０では、予定という文字を残して、他の印刷文字は棒線で消してある。左右に４コマずつ項目枠３２が設けられているので、予定が時系列的に記入できる。例えば、左側は午前中の予定、右側は午後の予定を記入できる。項目枠３２に例えば、開発会議テーマという事項が記入されたとする。このとき、利用者は、新たに１６を取りだして、そのテーマに関係する事項を項目枠３２に展開する。そして、その展開した事項の中にさらに新たなテーマとしてふさわしいものがあれば、また、別のテーマ展開用ページ１６の項目枠３２に展開する。こうすることによって、広く深く展開した事項を整理してみることができる。
【００２９】
また、例えば、Ａ氏と打ち合わせという予定がある場合を考える。このとき、Ａ氏への連絡事項を連絡用ページ１８に展開して記入する。の全部で８コマの欄に具体的な内容を展開する。記入すべき項目を広く表現すれば、この程度の項目数で十分である。この連絡用ページ１８を利用すれば、スケジュール管理用ページ１４に記入した連絡対象者への連絡事項を具体的に整理して見やすくまとめることができる。しかも、このページをそのままＡ氏に渡せば、Ａ氏の手帳の１ページになる。Ａ氏は、連絡事項の一部をテーマ展開用ページ１６に展開して具体化することもできる。
【００３０】
以上のようにして、２種類または３種類のページを活用すれば、本考案のシステム手帳は、日常生活の記録にも、業務スケジュール管理にも広く多機能に利用できる。
【符号の説明】
【００３１】
１０  システム手帳
１２  バインダ
１４  スケジュール管理用ページ
１６  テーマ展開用ページ
１８  連絡用ページ
２０  綴じ孔
２２  主題枠
２３  用途表示
２４  テーマ表示
２６  連絡対象者表示
２８  補助枠
３０  注釈枠
３２  項目枠
３４  日付記入枠
３６  ページ記入枠
【図１】
0003161278.tif 000003
【図２】
0003161278.tif 000004
【図３】
0003161278.tif 000005
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、
前記スケジュール管理用ページの項目枠に記入されたテーマを記入する主題枠と、前記スケジュール管理用ページと同一にレイアウトされ前記テーマに関係するキーワードを記入するための項目枠を印刷したテーマ展開用ページとが、
それぞれ１枚以上前記バインダに綴じ込まれたことを特徴とするシステム手帳。
【請求項２】
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、
前記スケジュール管理用ページの項目枠に記入された連絡対象者を特定する事項を記入する主題枠と、前記スケジュール管理用ページと同一にレイアウトされ前記連絡対象者に対する連絡事項を列挙して記入するための項目枠を印刷した連絡用ページとが、
それぞれ１枚以上前記バインダに綴じ込まれたことを特徴とするシステム手帳。
【請求項３】
バインダに綴じ込むための綴じ孔を有し、主題を記入するための主題枠と、注釈を記入するための補助枠と、ページを上下または左右に２分していずれも等しいサイズの複数のマスを２列に配列した項目枠とが印刷され、前記２列の項目枠がそれぞれ時系列にスケジュールを記入するための枠とされたスケジュール管理用ページと、
前記スケジュール管理用ページの項目枠に記入されたテーマを記入する主題枠と、前記スケジュール管理用ページと同一にレイアウトされ前記テーマに関係するキーワードを記入するための項目枠を印刷したテーマ展開用ページと、
前記スケジュール管理用ページの項目枠に記入された連絡対象者を特定する事項を記入する主題枠と、前記スケジュール管理用ページと同一にレイアウトされ前記連絡対象者に対する連絡事項を列挙して記入するための項目枠を印刷した連絡用ページとが、
それぞれ１枚以上前記バインダに綴じ込まれたことを特徴とするシステム手帳。
【請求項４】
請求項１乃至３のいずれかに記載のシステム手帳において、
いずれのページにも、それぞれ共通にレイアウトされた作成日付を記入するための日付記入枠と、同一作成日付のもののページ数を記入するページ記入枠と、前記主題枠と前記補助枠と、前記項目枠とが、全て同一レイアウトで印刷されたことを特徴とするシステム手帳。
【請求項５】
請求項４に記載のシステム手帳において、
全てのページが、一辺が１０センチメートル以下５センチメートル以上で他の一辺が２０センチメートル以下１０センチメートル以上の長方形の手帳サイズに選定されていることを特徴とするシステム手帳。
【請求項６】
請求項３に記載のシステム手帳において、
スケジュール管理用ページと、テーマ展開用ページと、連絡用ページと、用途を特定しない、前記主題枠と前記補助枠と前記項目枠とが同一レイアウトで印刷された共通フォームページとを混在させたことを特徴とするシステム手帳。